(57)【特許請求の範囲】
【請求項１】
複数の通信インターフェース部を備え、複数の通信ネットワークと通信を行うＷＡＮ側通信部と、
無線ＬＡＮインターフェース部を備え、端末と通信を行うＬＡＮ側通信部と、
前記複数の通信インターフェース部のうちから選択された通信インターフェース部と前記ＬＡＮ側通信部とを接続し、選択された通信インターフェース部に対応する通信ネットワークと前記端末との中継処理を行う中継処理部と、
前記複数の通信インターフェース部のすべてが対応する通信ネットワークと未接続である場合に、計時を開始し、計時を開始してから第１時間が経過した場合に、前記端末との接続を切断すると共に、前記ＬＡＮ側通信部を休止する通信制御部と、
を備えることを特徴とする中継装置。
【請求項２】
サービスを提供するサービス提供部をさらに備え、
前記複数の通信インターフェース部のすべてが対応する通信ネットワークと未接続である場合でも、前記端末のユーザにより前記サービスが利用中であるときは、前記通信制御部は、計時を開始しないように制御を行う、請求項１に記載の中継装置。
【請求項３】
可搬記憶媒体を装着する装着部をさらに備え、
前記複数の通信インターフェース部のすべてが対応する通信ネットワークと未接続である場合でも、前記端末から前記可搬記憶媒体への接続機能が有効であるときは、前記通信制御部は、計時を開始しないように制御を行う、請求項１又は２に記載の中継装置。
【請求項４】
前記ＬＡＮ側通信部は、前記端末とは異なる他の端末とも接続可能であり、
前記複数の通信インターフェース部のすべてが対応する通信ネットワークと未接続である場合でも、前記端末及び前記他の端末との間で通信が行われているときは、前記通信制御部は、計時を開始しないように制御を行う、請求項１〜３のいずれか一項に記載の中継装置。
【請求項５】
計時を開始してから前記第１時間が経過する前に、前記複数の通信インターフェース部のうちの少なくとも一つが対応する通信ネットワークと接続した場合に、前記通信制御部は、計時を終了する、請求項１〜４のいずれか一項に記載の中継装置。
【請求項６】
計時を開始してから前記第１時間が経過する前に、前記ＬＡＮ側通信部が前記端末とは異なる他の端末と接続した場合に、前記通信制御部は、計時を終了する、請求項１〜５のいずれか一項に記載の中継装置。
【請求項７】
計時を開始してから前記第１時間が経過する前に、前記端末のユーザにより前記サービスの利用が開始された場合に、前記通信制御部は、計時を終了する、請求項２に記載の中継装置。
【請求項８】
操作入力を受け付けるためのハードウェアキーをさらに備え、
計時を開始してから前記第１時間が経過する前に、前記ハードウェアキーが押下された場合に、前記通信制御部は、計時を終了する、請求項１〜７のいずれか一項に記載の中継装置。
【請求項９】
計時を開始してから前記第１時間が経過する前に、前記端末により前記通信ネットワークとの通信が要求された場合に、前記通信制御部は、前記通信ネットワークと未接続である旨を示す情報を前記端末に応答する、請求項１〜８のいずれか一項に記載の中継装置。
【請求項１０】
前記通信制御部は、前記ＬＡＮ側通信部を休止した場合に、計時を開始し直し、計時を開始し直してから第２時間が経過した場合に、前記複数の通信インターフェース部のうちの無線ＬＡＮインターフェース部を休止する、請求項１〜９のいずれか一項に記載の中継装置。
【請求項１１】
計時を開始し直してから前記第２時間が経過する前に、前記複数の通信インターフェース部のうちの少なくとも一つが対応する通信ネットワークと接続された場合に、前記通信制御部は、計時を終了すると共に、前記ＬＡＮ側通信部を起動する、請求項１０に記載の中継装置。
【請求項１２】
複数の通信インターフェース部を備え、複数の通信ネットワークと通信を行うＷＡＮ側通信部と、無線ＬＡＮインターフェース部を備え、端末と通信を行うＬＡＮ側通信部と、前記複数の通信インターフェース部のうちから選択された通信インターフェース部と前記ＬＡＮ側通信部とを接続し、選択された通信インターフェース部に対応する通信ネットワークと前記端末との中継処理を行う中継処理部と、通信制御部とを備える中継装置の制御方法であって、前記通信制御部が、
前記複数の通信インターフェース部のすべてが対応する通信ネットワークと未接続である場合に、計時を開始し、
計時を開始してから第１時間が経過した場合に、前記端末との接続を切断すると共に、前記ＬＡＮ側通信部を休止する、
ことを特徴とする中継装置の制御方法。
【請求項１３】
複数の通信インターフェース部を備え、複数の通信ネットワークと通信を行うＷＡＮ側通信部と、無線ＬＡＮインターフェース部を備え、端末と通信を行うＬＡＮ側通信部と、前記複数の通信インターフェース部のうちから選択された通信インターフェース部と前記ＬＡＮ側通信部とを接続し、選択された通信インターフェース部に対応する通信ネットワークと前記端末との中継処理を行う中継処理部と、通信制御部とを備える中継装置の制御プログラムであって、前記通信制御部に、
前記複数の通信インターフェース部のすべてが対応する通信ネットワークと未接続である場合に、計時を開始し、
計時を開始してから第１時間が経過した場合に、前記端末との接続を切断すると共に、前記ＬＡＮ側通信部を休止する、
ことを実行させることを特徴とする中継装置の制御プログラム。
【発明の詳細な説明】
【技術分野】
【０００１】
本発明は、中継装置、その制御方法、及びその制御プログラムに関する。
【背景技術】
【０００２】
近年、多機能携帯電話（所謂「スマートフォン」）、携帯情報端末（Personal Digital Assistant, PDA）、携帯ゲーム機、携帯音楽プレーヤ、タブレットＰＣ等の携帯端末が普及し、市場を拡大している。これらの携帯端末は、通信インターフェースとして無線ＬＡＮ（Local Area Network）を搭載しているため、無線ＬＡＮを介してインターネットに接続すると共に、ウェブブラウザ等を実装し、インターネット上のサービスを利用することが可能となっている。
【０００３】
ブロードバンドアクセスの普及から、家庭では、ＦＴＴＨ（Fiber To The Home）、ＡＤＳＬ（Asymmetric Digital Subscriber Line）等の広帯域回線が一般に利用されている。また、家庭内の通信ネットワークでは、無線ＬＡＮの普及も進んでいる。したがって、ユーザが在宅中のときは、携帯端末のインターネット接続機能を十分に発揮できる状況にあると考えられる。
【０００４】
一方、携帯端末を外出先でインターネットに接続するには、公衆無線ＬＡＮスポットを利用することが考えられる。しかしながら、このようなスポット状のサービスエリアでは、ユーザが利用したいときにいつでも利用できるわけではない。また、携帯端末には、通信インターフェースとして移動体通信を搭載しているものもあるが、その通信速度は一般に無線ＬＡＮよりも遅い。そのため、外出先では、携帯端末のインターネット接続機能を十分に発揮することができず、ユーザの利便性が大きく損なわれる状況にある。
【０００５】
そこで、外出先では、可搬型の中継装置（所謂「モバイル無線ＬＡＮルータ」）を利用することが考えられる。即ち、携帯端末と、無線ＬＡＮ、移動体通信網等の通信ネットワークとの間の通信を中継する中継装置を利用し、中継装置と携帯端末との間は無線ＬＡＮで通信し、中継装置と通信ネットワークとの間は対応する通信方式で通信することにより、携帯端末は、いつでもどこでもインターネットに接続することができる。
【０００６】
特許文献１には、従来の中継装置２が開示されている。図５は、中継装置２の概略構成の一例を示す。
【０００７】
中継装置２は、外部の通信ネットワークとの無線通信に用いるＷＡＮ側通信部２１と、携帯端末との無線通信に用いるＬＡＮ側通信部２２とを備える。また、中継装置２は、ＷＡＮ側通信部２１の複数の通信インターフェース部のうちからいずれか一つを選択する通信インターフェース選択部２５１と、ＷＡＮ側通信部２１とＬＡＮ側通信部２２との間の通信を中継する中継処理部２５２とを備える。さらに、中継装置２は、一定時間の経過を通信インターフェース選択部２５１に通知する計時部２５３を備える。
【０００８】
ＷＡＮ側通信部２１は、無線ＬＡＮインターフェース部２１１と、移動体通信インターフェース部２１２とを備える。
【０００９】
ＬＡＮ側通信部２２は、無線ＬＡＮインターフェース部２２１を備える。
【００１０】
中継処理部２５２は、ＷＡＮ側通信部２１とＬＡＮ側通信部２２との間で通信方式が異なる場合に、各々の通信方式に応じてデータ形式を変換する。
【００１１】
ＷＡＮ側通信部２１は、中継装置２が置かれている状況により異なる動作をする。即ち、中継装置２が無線ＬＡＮの基地局（アクセスポイント）のサービスエリアに位置するときは、無線ＬＡＮインターフェース部２１１がこの基地局と接続して通信する。また、中継装置２が移動体通信網の基地局のサービスエリアに位置するときは、移動体通信インターフェース部２１２がこの基地局と接続して通信する。なお、ＷＡＮ側通信部２１において、複数の通信インターフェース部がそれぞれの基地局と接続できる場合に、通信インターフェース選択部２５１は、複数の通信インターフェース部のうちからいずれか一つを選択する。
【００１２】
ＬＡＮ側通信部２２は、無線ＬＡＮインターフェース部２２１を介して携帯端末と接続して通信する。
【００１３】
図６は、従来の中継装置２の動作フローを示す。なお、図６に示される動作フローは、通信速度の速い通信インターフェース部を選択するためのものであるが、通信インターフェース部の選択方法はこれに限らず、様々なものが考えられる。
【００１４】
まず、ユーザの操作により中継装置２が起動されると、通信インターフェース選択部２５１は、ＬＡＮ側通信部２２を起動する（ステップＳ６００）。ＬＡＮ側通信部２２の無線ＬＡＮインターフェース部２２１は、動作を開始し、携帯端末と接続すると、通信インターフェース選択部２５１にその旨を通知する。
【００１５】
次に、通信インターフェース選択部２５１は、中継処理部２５２を介してＷＡＮ側通信部２１を起動する（ステップＳ６０２）。そして、通信インターフェース選択部２５１は、ＷＡＮ側通信部２１の複数の通信インターフェース部に、基地局の探索を行わせる（ステップＳ６０４）。複数の通信インターフェース部は、それぞれ基地局の探索を行い、基地局を検出した場合は、その基地局との接続を試みる。また、複数の通信インターフェース部は、それぞれ試行の結果を通信インターフェース選択部２５１に通知する。
【００１６】
通信インターフェース選択部２５１は、一つ以上の通信インターフェース部が基地局と接続したか否かを判定する（ステップＳ６０６）。そして、一つ以上の通信インターフェース部が基地局と接続した場合に（ステップＳ６０６−Ｙｅｓ）、通信インターフェース選択部２５１は、一つの通信インターフェース部が基地局と接続したときは、この通信インターフェース部を選択し、二つ以上の通信インターフェース部がそれぞれ基地局と接続したときは、通信速度の最も速い通信インターフェース部を選択する（ステップＳ６０８）。一方、いずれの通信インターフェース部も基地局と接続しなかった場合に（ステップＳ６０６−Ｎｏ）、通信インターフェース選択部２５１は、再度、複数の通信インターフェース部に基地局の探索を行わせる（ステップＳ６０４）。
【００１７】
中継処理部２５２は、通信インターフェース選択部２５１により選択された通信インターフェース部と、ＬＡＮ側通信部２２の無線ＬＡＮインターフェース部２２１とを接続し、中継処理を開始する（ステップＳ６１０）。また、計時部２５３は、計時を開始する（ステップＳ６１２）。
【００１８】
計時を開始してから一定時間が経過すると（ステップＳ６１４−Ｙｅｓ）、通信インターフェース選択部２５１は、再度、複数の通信インターフェース部に基地局の探索を行わせる（ステップＳ６０４）。中継装置２の移動等により、前回と異なる通信インターフェース部の基地局が選択されると、この基地局へのハンドオーバが行われる。
【先行技術文献】
【特許文献】
【００１９】
【特許文献１】特開２０１０−０２１８７８号公報
【発明の概要】
【発明が解決しようとする課題】
【００２０】
このように、可搬型の中継装置を利用することにより、ユーザの利便性が向上することが期待される。しかしながら、従来の中継装置では、いずれの通信インターフェース部の基地局も検出又は接続されず、いずれの通信ネットワークとも通信できない状況でも、携帯端末との接続は維持されるため、ユーザは、中継装置からの応答（例えば、ウェブブラウザのタイムアウト表示）を見ただけでは、なぜ通信できないのか、状況を容易に認識することができない。また、状況を認識できたとしても、中継装置を介さずに通信を行うためには、ユーザは、携帯端末の通信経路を変更するか、中継装置の中継機能を無効にすることにより携帯端末の通信経路が変更されるのを待機しなければならない。したがって、ユーザの利便性が損なわれる可能性もあった。
【００２１】
本発明は、このような従来の課題を解決すべくなされたものであり、ユーザの利便性を向上することを可能とする中継装置、その制御方法、及びその制御プログラムを提供することを目的とする。
【課題を解決するための手段】
【００２２】
本発明に係る中継装置は、複数の通信インターフェース部を備え、複数の通信ネットワークと通信を行うＷＡＮ側通信部と、無線ＬＡＮインターフェース部を備え、端末と通信を行うＬＡＮ側通信部と、複数の通信インターフェース部のうちから選択された通信インターフェース部とＬＡＮ側通信部とを接続し、選択された通信インターフェース部に対応する通信ネットワークと端末との中継処理を行う中継処理部と、複数の通信インターフェース部のすべてが対応する通信ネットワークと未接続である場合に、計時を開始し、計時を開始してから第１時間が経過した場合に、端末との接続を切断すると共に、ＬＡＮ側通信部を休止する通信制御部とを備える。
【００２３】
また、本発明に係る中継装置において、サービスを提供するサービス提供部をさらに備え、複数の通信インターフェース部のすべてが対応する通信ネットワークと未接続である場合でも、端末のユーザによりサービスが利用中であるときは、通信制御部は、計時を開始しないように制御を行うことが好ましい。
【００２４】
また、本発明に係る中継装置において、可搬記憶媒体を装着する装着部をさらに備え、複数の通信インターフェース部のすべてが対応する通信ネットワークと未接続である場合でも、端末から可搬記憶媒体への接続機能が有効であるときは、通信制御部は、計時を開始しないように制御を行うことが好ましい。
【００２５】
また、本発明に係る中継装置において、ＬＡＮ側通信部は、端末とは異なる他の端末とも接続可能であり、複数の通信インターフェース部のすべてが対応する通信ネットワークと未接続である場合でも、端末及び他の端末との間で通信が行われているときは、通信制御部は、計時を開始しないように制御を行うことが好ましい。
【００２６】
また、本発明に係る中継装置において、計時を開始してから第１時間が経過する前に、複数の通信インターフェース部のうちの少なくとも一つが対応する通信ネットワークと接続した場合に、通信制御部は、計時を終了することが好ましい。
【００２７】
また、本発明に係る中継装置において、計時を開始してから第１時間が経過する前に、ＬＡＮ側通信部が端末とは異なる他の端末と接続した場合に、通信制御部は、計時を終了することが好ましい。
【００２８】
また、本発明に係る中継装置において、計時を開始してから第１時間が経過する前に、端末のユーザによりサービスの利用が開始された場合に、通信制御部は、計時を終了することが好ましい。
【００２９】
また、本発明に係る中継装置において、操作入力を受け付けるためのハードウェアキーをさらに備え、計時を開始してから第１時間が経過する前に、ハードウェアキーが押下された場合に、通信制御部は、計時を終了することが好ましい。
【００３０】
また、本発明に係る中継装置において、計時を開始してから第１時間が経過する前に、端末により通信ネットワークとの通信が要求された場合に、通信制御部は、通信ネットワークと未接続である旨を示す情報を端末に応答することが好ましい。
【００３１】
また、本発明に係る中継装置において、通信制御部は、ＬＡＮ側通信部を休止した場合に、計時を開始し直し、計時を開始し直してから第２時間が経過した場合に、複数の通信インターフェース部のうちの無線ＬＡＮインターフェース部を休止することが好ましい。
【００３２】
また、本発明に係る中継装置において、計時を開始し直してから第２時間が経過する前に、複数の通信インターフェース部のうちの少なくとも一つが対応する通信ネットワークと接続された場合に、通信制御部は、計時を終了すると共に、ＬＡＮ側通信部を起動することが好ましい。
【００３３】
本発明に係る中継装置の制御方法は、複数の通信インターフェース部を備え、複数の通信ネットワークと通信を行うＷＡＮ側通信部と、無線ＬＡＮインターフェース部を備え、端末と通信を行うＬＡＮ側通信部と、複数の通信インターフェース部のうちから選択された通信インターフェース部とＬＡＮ側通信部とを接続し、選択された通信インターフェース部に対応する通信ネットワークと端末との中継処理を行う中継処理部と、通信制御部とを備える中継装置の制御方法であって、通信制御部が、複数の通信インターフェース部のすべてが対応する通信ネットワークと未接続である場合に、計時を開始し、計時を開始してから第１時間が経過した場合に、端末との接続を切断すると共に、ＬＡＮ側通信部を休止する。
【００３４】
本発明に係る中継装置の制御プログラムは、複数の通信インターフェース部を備え、複数の通信ネットワークと通信を行うＷＡＮ側通信部と、無線ＬＡＮインターフェース部を備え、端末と通信を行うＬＡＮ側通信部と、複数の通信インターフェース部のうちから選択された通信インターフェース部とＬＡＮ側通信部とを接続し、選択された通信インターフェース部に対応する通信ネットワークと端末との中継処理を行う中継処理部と、通信制御部とを備える中継装置の制御プログラムであって、通信制御部に、複数の通信インターフェース部のすべてが対応する通信ネットワークと未接続である場合に、計時を開始し、計時を開始してから第１時間が経過した場合に、端末との接続を切断すると共に、ＬＡＮ側通信部を休止することを実行させる。
【発明の効果】
【００３５】
本発明に係る中継装置、その制御方法、及びその制御プログラムは、いずれの通信ネットワークとも未接続である状態が所定時間継続した場合に携帯端末との接続を切断することにより、ユーザの利便性を向上することを可能とする。
【図面の簡単な説明】
【００３６】
【図１】無線通信システムの概略構成の一例を示す図である。
【図２】中継装置の概略構成の一例を示す図である。
【図３Ａ】中継装置の動作フローの一例を示す図である。
【図３Ｂ】中継装置の動作フローの一例を示す図である。
【図４】中継装置の動作フローの他の一例を示す図である。
【図５】従来の中継装置の概略構成の一例を示す図である。
【図６】従来の中継装置の動作フローの一例を示す図である。
【発明を実施するための形態】
【００３７】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００３８】
（１）本実施形態の概略
本実施形態では、中継装置は、複数の通信インターフェース部を備える。また、これらの通信インターフェース部は、一定時間毎に基地局の探索を行う。いずれの通信インターフェース部の基地局も検出又は接続されず、いずれの通信ネットワークとも未接続である場合に、中継装置は、計時を開始する。また、携帯端末により外部のウェブサーバとの通信が要求された場合に、中継装置は、いずれの通信ネットワークとも未接続である旨を示すウェブページを応答する。そして、所定時間が経過する前に、いずれかの通信インターフェース部の基地局に接続した場合に、中継装置は、計時を終了する。一方、所定時間が経過した場合に、中継装置は、携帯端末との接続を切断すると共に、携帯端末との接続機能を無効にする。
【００３９】
（２）無線通信システム１の構成
図１は、無線通信システム１の概略構成の一例を示す図である。
【００４０】
無線通信システム１は、無線ＬＡＮ通信機能及び移動体通信機能を有する中継装置２と、同じく無線ＬＡＮ通信機能及び移動体通信機能を有する携帯端末３と、無線ＬＡＮの基地局４と、移動体通信網の基地局６とを備える。中継装置２は、携帯端末３及び基地局４とは無線ＬＡＮで通信することができ、基地局６ａとは移動体通信で通信することができる。また、携帯端末３は、中継装置２とは無線ＬＡＮで通信することができ、基地局６ｂとは移動体通信で通信することができる。
【００４１】
基地局４は、バックボーンネットワーク５に接続される。また、バックボーンネットワーク５には、不図示のゲートウェイも接続される。携帯端末３は、中継装置２及びゲートウェイを介してインターネット８に接続することができる。したがって、携帯端末３は、インターネット８に接続されるウェブサーバ９と通信することができる。
【００４２】
一方、基地局６は、移動体通信網７に接続される。また、移動体通信網７には、不図示のゲートウェイも接続される。携帯端末３は、中継装置２及びゲートウェイ又はゲートウェイのみを介してもインターネット８に接続することができる。したがって、携帯端末３は、インターネット８に接続されるウェブサーバ９と通信することができる。
【００４３】
（３）中継装置２の構成
図２は、中継装置２の概略構成の一例を示す図である。
【００４４】
中継装置２は、自身を介して携帯端末３がウェブサーバ９に接続して通信するのを支援する。そのために、中継装置２は、ＷＡＮ側通信部２１と、ＬＡＮ側通信部２２と、記憶部２３と、操作部２４と、処理部２５とを備える。
【００４５】
ＷＡＮ側通信部２１は、無線ＬＡＮインターフェース部２１１と、移動体通信インターフェース部２１２とを備える。無線ＬＡＮインターフェース部２１１は、主に２．４ＧＨｚ帯を感受帯域とするアンテナを含む、通信インターフェース回路を備え、中継装置２を基地局４に接続する。無線ＬＡＮインターフェース部２１１は、基地局４との間でＩＥＥＥ８０２．１１規格に準拠した通信方式により通信回線を確立し、基地局４と通信する。そして、無線ＬＡＮインターフェース部２１１は、基地局４から受信したデータを処理部２５に供給する。また、無線ＬＡＮインターフェース部２１１は、処理部２５から供給されたデータを基地局４に送信する。
【００４６】
また、移動体通信インターフェース部２１２は、主に１．５ＧＨｚ帯を感受帯域とするアンテナを含む、通信インターフェース回路を備え、中継装置２を基地局６に接続する。移動体通信インターフェース部２１２は、基地局６により割り当てられるチャネルを介して、基地局６との間でＷＣＤＭＡ（Wideband Code Division Multiple Access）方式等により信号回線を確立し、基地局６と通信する。そして、移動体通信インターフェース部２１２は、基地局６から受信したデータを処理部２５に供給する。また、移動体通信インターフェース部２１２は、処理部２５から供給されたデータを基地局６に送信する。
【００４７】
なお、本実施形態では、移動体通信の通信方式として、ＷＣＤＭＡを想定するが、他の通信方式を採用してもよい。例えば、ＡＸＧＰ（Advanced Extended Global Platform）、ＬＴＥ（Long Term Evolution）、ＷｉＭＡＸ（Worldwide Interoperability for Microwave Access）（登録商標）等を採用してもよい。また、ＷＡＮ側通信部２１は、三つ以上の通信インターフェース部を備えてもよい。例えば、ＷＡＮ側通信部２１は、イーサネット（登録商標）、ＡＸＧＰ、ＬＴＥ、ＷｉＭＡＸ（登録商標）、Ｂｌｕｅｔｏｏｔｈ（登録商標）、ＺｉｇＢｅｅ（登録商標）、Ｚ−Ｗａｖｅ（登録商標）、ワイドスター（登録商標）等の規格に準拠したものを備えてもよい。
【００４８】
ＬＡＮ側通信部２２は、無線ＬＡＮインターフェース部２２１を備える。無線ＬＡＮインターフェース部２２１は、主に２．４ＧＨｚ帯を感受帯域とするアンテナを含む、通信インターフェース回路を備え、中継装置２を携帯端末３と接続する。無線ＬＡＮインターフェース部２２１は、携帯端末３との間でＩＥＥＥ８０２．１１規格に準拠した通信方式により通信回線を確立し、携帯端末３と通信する。そして、無線ＬＡＮインターフェース部２２１は、携帯端末３から受信したデータを処理部２５に供給する。また、無線ＬＡＮインターフェース部２２１は、処理部２５から供給されたデータを携帯端末３に送信する。
【００４９】
なお、ＬＡＮ側通信部２２は、複数の通信インターフェース部を備えてもよい。例えば、ＬＡＮ側通信部２２は、Ｂｌｕｅｔｏｏｔｈ（登録商標）、ＺｉｇＢｅｅ（登録商標）、Ｚ−Ｗａｖｅ（登録商標）等の規格に準拠したものを備えてもよい。
【００５０】
記憶部２３は、例えば、半導体メモリを備える。記憶部２３は、処理部２５での処理に用いられるオペレーティングシステムプログラム、ドライバプログラム、アプリケーションプログラム、データ等を格納する。例えば、記憶部２３は、ドライバプログラムとして、操作部２４を制御する入力デバイスドライバプログラム等を記憶する。また、記憶部２３は、アプリケーションプログラムとして、通信インターフェースを選択するプログラム、通信インターフェース間の通信を中継するプログラム、時間を計時するプログラム、ＨＴＴＰ（Hypertext Transfer Protocol）通信を制御するプログラム、ウェブページを配信するプログラム、所定のウェブアプリケーション（例えば、通信ネットワーク接続設定アプリケーション）を実行するプログラム等を記憶する。また、記憶部２３は、通信ネットワーク接続設定に係る設定ファイル等を記憶する。さらに、記憶部２３は、所定の処理に係る一時的なデータを一時的に記憶してもよい。
【００５１】
操作部２４は、少なくともハードウェアキーを備える。ユーザは、操作部２４を用いて、所定の操作を入力することができる。操作部２４は、ユーザにより操作されると、対応する信号を発生する。そして、発生した信号は、ユーザの指示として、処理部２５に供給される。
【００５２】
処理部２５は、一又は複数個のプロセッサ及びその周辺回路を備える。処理部２５は、中継装置２の全体的な動作を統括的に制御するものであり、例えば、ＣＰＵ（Central Processing Unit）である。即ち、処理部２５は、中継装置２の各種処理が記憶部２３に記憶されているプログラム、操作部２４の操作等に応じて適切な手順で実行されるように、ＷＡＮ側通信部２１、ＬＡＮ側通信部２２等の動作を制御する。処理部２５は、記憶部２３に記憶されているプログラム（オペレーティングシステムプログラム、ドライバプログラム、アプリケーションプログラム等）に基づいて処理を実行する。また、処理部２５は、複数のプログラム（アプリケーションプログラム等）を並列に実行することができる。
【００５３】
（３．１）処理部２５の構成
処理部２５は、通信インターフェース選択部２５１と、中継処理部２５２と、計時部２５３と、ＨＴＴＰ通信制御部２５４と、ウェブサーバ部２５５と、ウェブアプリケーション部２５６とを備える。これらの各部は、処理部２５が備えるプロセッサ上で実行されるプログラムにより実装される機能モジュールである。あるいは、これらの各部は、ファームウェアとして中継装置２に実装されてもよい。
【００５４】
通信インターフェース選択部２５１は、通信インターフェースを選択する。即ち、通信インターフェース選択部２５１は、ＷＡＮ側通信部２１の複数の通信インターフェース部２１１、２１２のうちからいずれか一つを選択する。なお、処理の詳細については後述する。
【００５５】
中継処理部２５２は、通信インターフェース間の通信を中継する。即ち、中継処理部２５２は、通信インターフェース選択部２５１により選択されたＷＡＮ側通信部２１の通信インターフェース部と、ＬＡＮ側通信部２２の無線ＬＡＮインターフェース部２２１とを接続し、これらの間の通信を中継する。
【００５６】
計時部２５３は、時間を計時する。即ち、計時部２５３は、所定時間をパラメータとして計時の開始が指示された場合に、現在時刻を取得して保持すると共に、現在時刻の定期的な取得を開始し、計時の終了が指示された場合に、現在時刻の定期的な取得を終了する。また、計時部２５３は、保持時刻から与えられた所定時間が経過した場合に、現在時刻の定期的な取得を終了すると共に、通信インターフェース選択部２５１にその旨を通知する。さらに、計時部２５３は、所定時間の経過／未経過の判定が指示された場合に、保持時刻から与えられた所定時間が経過したか否かを判定し、その結果を返戻する。
【００５７】
ＨＴＴＰ通信制御部２５４は、ＨＴＴＰ通信を制御する。即ち、ＨＴＴＰ通信制御部２５４は、外部のウェブサーバ９宛てのＨＴＴＰ要求を受信した場合において、ＷＡＮ側通信部２１が外部の通信ネットワークと未接続であるときに、その旨を示すウェブページを送信する。なお、処理の詳細については後述する。
【００５８】
ウェブサーバ部２５５は、ウェブページを配信する。即ち、ウェブサーバ部２５５は、ＨＴＴＰ要求を受信した場合に、対応するウェブアプリケーション部２５６に処理の実行を指示する。そして、ウェブサーバ部２５５は、ウェブアプリケーション部２５６により返戻されたウェブページを送信する。
【００５９】
ウェブアプリケーション部２５６は、所定のウェブアプリケーションを実行する。即ち、ウェブアプリケーション部２５６は、所定のウェブアプリケーションにより実装された処理を実行すると共に、その結果を示すウェブページを作成し、ウェブサーバ部２５５に返戻する。例えば、ユーザによりＬＡＮ側通信部２２を介してログインが要求された場合に、ウェブアプリケーション部２５６は、不図示のユーザ認証部に処理の実行を指示する。また、ユーザ認証部によりユーザが認証された場合に、ウェブアプリケーション部２５６は、記憶部２３に記憶されている設定ファイルから通信ネットワーク接続設定に係る情報を取得し、その情報を示すウェブページを作成し、ウェブサーバ部２５５に返戻する。
【００６０】
以下、通信インターフェース選択部２５１による処理について詳述する。
【００６１】
ユーザにより操作部２４を介して中継装置２が起動された場合に、通信インターフェース選択部２５１は、ＬＡＮ側通信部２２を起動する。
【００６２】
ＬＡＮ側通信部２２により携帯端末３と接続した旨が通知された場合に、通信インターフェース選択部２５１は、中継処理部２５２を介してＷＡＮ側通信部２１を起動する。そして、通信インターフェース選択部２５１は、ＷＡＮ側通信部２１の複数の通信インターフェース部２１１、２１２に、基地局４、６の探索を行わせる。
【００６３】
複数の通信インターフェース部２１１、２１２により試行の結果が通知された場合に、通信インターフェース選択部２５１は、一つ以上の通信インターフェース部が基地局と接続したか否かを判定する。そして、いずれの通信インターフェース部も基地局と接続しなかった場合に、通信インターフェース選択部２５１は、第１タイムアウト時間又は第２タイムアウト時間を計時中であるか否かを判定する。
【００６４】
いずれのタイムアウト時間も計時中ではない場合に、通信インターフェース選択部２５１は、第１計時開始条件が成立するか否かを判定する。そして、第１計時開始条件が成立する場合に、通信インターフェース選択部２５１は、記憶部２３に記憶されている設定ファイルを参照して第１タイムアウト時間を取得し、取得した第１タイムアウト時間をパラメータとして、計時部２５３に計時を開始させる。
なお、第１計時開始条件は、ユーザがウェブアプリケーション部２５６にログインしていないこととする。しかしながら、他の第１計時開始条件を採用することも可能である。例えば、中継装置２が可搬記憶媒体を装着する装着部を備える場合に、この可搬記憶媒体への接続機能が無効であることとしてもよい。また、中継装置２に複数の携帯端末３が接続中である場合に、これらの間で通信が行われていないこととしてもよい。
【００６５】
そして、通信インターフェース選択部２５１は、基地局の探索の指示処理に戻る。
【００６６】
一方、第１タイムアウト時間を計時中である場合に、通信インターフェース選択部２５１は、第１タイムアウト時間が経過したか否かを判定する。
【００６７】
第１タイムアウト時間が経過していない場合に、通信インターフェース選択部２５１は、第１計時終了条件が成立するか否かを判定する。そして、第１計時終了条件が成立する場合に、通信インターフェース選択部２５１は、計時部２５３に計時を終了させる。
なお、第１計時終了条件は、（１）他の携帯端末３と接続した、（２）ユーザがウェブアプリケーション部２５６にログインした、又は（３）所定のハードウェアキーが押下されたこととする。しかしながら、他の第１計時終了条件を採用することも可能である。
【００６８】
そして、通信インターフェース選択部２５１は、基地局の探索の指示処理に戻る。
【００６９】
一方、第１タイムアウト時間が経過した場合に、通信インターフェース選択部２５１は、ＬＡＮ側通信部２２の無線ＬＡＮインターフェース部２２１に、携帯端末３との接続を切断させる。また、通信インターフェース選択部２５１は、ＬＡＮ側通信部２２を休止する（例えば、電波の送受信を停止させる）。さらに、通信インターフェース選択部２５１は、記憶部２３に記憶されている設定ファイルを参照して第２タイムアウト時間を取得し、取得した第２タイムアウト時間をパラメータとして、計時部２５３に計時を開始させる。そして、通信インターフェース選択部２５１は、基地局の探索の指示処理に戻る。
【００７０】
一方、第２タイムアウト時間を計時中である場合に、通信インターフェース選択部２５１は、第２タイムアウト時間が経過したか否かを判定する。
【００７１】
第２タイムアウト時間が経過していない場合に、通信インターフェース選択部２５１は、第２計時終了条件が成立するか否かを判定する。そして、第２計時終了条件が成立する場合に、通信インターフェース選択部２５１は、計時部２５３に計時を終了させる。また、通信インターフェース選択部２５１は、ＬＡＮ側通信部２２を起動する。
なお、第２計時終了条件は、所定のハードウェアキーが押下されたこととする。しかしながら、他の第２計時終了条件を採用することも可能である。
【００７２】
そして、通信インターフェース選択部２５１は、基地局の探索の指示処理に戻る。
【００７３】
一方、第２タイムアウト時間が経過した場合に、通信インターフェース選択部２５１は、ＷＡＮ側通信部２１の無線ＬＡＮインターフェース部２１１を休止する（例えば、電波の送受信を停止させる）。そして、通信インターフェース選択部２５１は、基地局の探索の指示処理に戻る。
【００７４】
一方、一つ以上の通信インターフェース部が基地局と接続した場合に、通信インターフェース選択部２５１は、第１タイムアウト時間を計時中であるか否かを判定する。そして、第１タイムアウト時間を計時中である場合に、通信インターフェース選択部２５１は、計時部２５３に計時を終了させる。
【００７５】
また、通信インターフェース選択部２５１は、第２タイムアウト時間を計時中であるか否かを判定する。そして、第２タイムアウト時間を計時中である場合に、通信インターフェース選択部２５１は、計時部２５３に計時を終了させる。また、通信インターフェース選択部２５１は、ＬＡＮ側通信部２２を起動する。
【００７６】
通信インターフェース選択部２５１は、一つの通信インターフェース部が基地局と接続したときは、この通信インターフェース部を選択し、二つ以上の通信インターフェース部がそれぞれ基地局と接続したときは、通信速度の最も速い通信インターフェース部を選択する。そして、中継処理部２５２に、選択した通信インターフェース部と、ＬＡＮ側通信部２２の無線ＬＡＮインターフェース部２２１とを接続させ、中継処理を開始させる。また、通信インターフェース選択部２５１は、記憶部２３に記憶されている設定ファイルを参照して第３タイムアウト時間を取得し、取得した第３タイムアウト時間をパラメータとして、計時部２５３に計時を開始させる。
【００７７】
通信インターフェース選択部２５１は、第３タイムアウト時間が経過したか否かを判定する。そして、第３タイムアウト時間が経過した場合に、通信インターフェース選択部２５１は、基地局の探索の指示処理に戻る。
【００７８】
以下、ＨＴＴＰ通信制御部２５４による処理について詳述する。
【００７９】
ＨＴＴＰ通信制御部２５４は、ＨＴＴＰ要求の受信を待機する。
【００８０】
携帯端末３からＬＡＮ側通信部２２を介してＨＴＴＰ要求を受信した場合に、ＨＴＴＰ通信制御部２５４は、受信したＨＴＴＰ要求が内部のウェブサーバ、即ちウェブサーバ部２５５宛てのものであるか否かを判定する。そして、受信したＨＴＴＰ要求がウェブサーバ部２５５宛てのものである場合に、ＨＴＴＰ通信制御部２５４は、受信したＨＴＴＰ要求をウェブサーバ部２５５に送信する。
【００８１】
一方、受信したＨＴＴＰ要求が外部のウェブサーバ、即ちウェブサーバ９宛てのものである場合に、ＨＴＴＰ通信制御部２５４は、ＷＡＮ側通信部２１が外部の通信ネットワークと接続中であるか否かを判定する。そして、ＷＡＮ側通信部２１が外部の通信ネットワークと接続中である場合に、ＨＴＴＰ通信制御部２５４は、受信したＨＴＴＰ要求を対応するウェブサーバ９に送信する。
【００８２】
一方、ＷＡＮ側通信部２１が外部の通信ネットワークと未接続である場合に、ＨＴＴＰ通信制御部２５４は、その旨を示すウェブページを送信する。あるいは、ＨＴＴＰ通信制御部２５４は、ＨＴＴＰリダイレクトを用いて、ウェブサーバ部２５５にその旨を示すウェブページを送信させてもよい。
なお、このウェブページには、外部の通信ネットワークと未接続である旨以外の情報が含まれてもよく、通信ネットワーク接続設定に応じて異なる情報が含まれてもよい。例えば、設定アプリケーションへのリンク情報、他の通信インターフェースへの設定変更を促す支援情報等が含まれてもよい。
【００８３】
そして、ＨＴＴＰ通信制御部２５４は、処理を終了する。
【００８４】
（４）中継装置２の動作
図３Ａ及び３Ｂは、中継装置２の動作フローの一例を示す。なお、以下に説明する動作フローは、予め記憶部２３に記憶されているプログラムに基づいて、主に処理部２５により、中継装置２の各要素と協働して実行される。
【００８５】
ユーザにより操作部２４を介して中継装置２が起動された場合に、通信インターフェース選択部２５１は、ＬＡＮ側通信部２２を起動する（図３ＡのステップＳ６００）。ＬＡＮ側通信部２２の無線ＬＡＮインターフェース部２２１は、動作を開始し、携帯端末３と接続した場合に、通信インターフェース選択部２５１にその旨を通知する。
【００８６】
ＬＡＮ側通信部２２により携帯端末３と接続した旨が通知された場合に、通信インターフェース選択部２５１は、中継処理部２５２を介してＷＡＮ側通信部２１を起動する（ステップＳ６０２）。
【００８７】
通信インターフェース選択部２５１は、ＷＡＮ側通信部２１の複数の通信インターフェース部２１１、２１２に、基地局４、６の探索を行わせる（ステップＳ６０４）。複数の通信インターフェース部は、それぞれ基地局の探索を行い、基地局を検出した場合は、その基地局との接続（認証（例えば、ＥＡＰ−ＳＩＭ認証、ＷＩＳＰｒ認証等）を要するものについては認証も）を試みる。また、複数の通信インターフェース部は、それぞれ試行の結果を通信インターフェース選択部２５１に通知する。
【００８８】
通信インターフェース選択部２５１は、一つ以上の通信インターフェース部が基地局と接続したか否かを判定する（ステップＳ６０６）。
【００８９】
いずれの通信インターフェース部も基地局と接続しなかった場合に（ステップＳ６０６−Ｎｏ）、通信インターフェース選択部２５１は、第１タイムアウト時間を計時中であるか否かを判定する（ステップＳ３００）。
【００９０】
第１タイムアウト時間を計時中である場合に（ステップＳ３００−Ｙｅｓ）、通信インターフェース選択部２５１は、第１タイムアウト時間が経過したか否かを判定する（ステップＳ３０２）。
【００９１】
第１タイムアウト時間が経過していない場合に（ステップＳ３０２−Ｎｏ）、通信インターフェース選択部２５１は、第１計時終了条件が成立するか否かを判定する（ステップＳ３０４）。
【００９２】
第１計時終了条件が成立する場合に（ステップＳ３０４−Ｙｅｓ）、通信インターフェース選択部２５１は、計時部２５３に計時を終了させる（ステップＳ３０６）。そして、通信インターフェース選択部２５１は、基地局の探索の指示処理（ステップＳ６０４）に戻る。
【００９３】
一方、第１計時終了条件が成立しない場合に（ステップＳ３０４−Ｎｏ）、通信インターフェース選択部２５１は、基地局の探索の指示処理（ステップＳ６０４）に戻る。
【００９４】
一方、第１タイムアウト時間が経過した場合に（ステップＳ３０２−Ｙｅｓ）、通信インターフェース選択部２５１は、ＬＡＮ側通信部２２の無線ＬＡＮインターフェース部２２１に、携帯端末３との接続を切断させる（ステップＳ３０８）。
【００９５】
また、通信インターフェース選択部２５１は、ＬＡＮ側通信部２２を休止する（ステップＳ３１０）。
【００９６】
さらに、通信インターフェース選択部２５１は、第２タイムアウト時間をパラメータとして、計時部２５３に計時を開始させる（ステップＳ３１２）。そして、通信インターフェース選択部２５１は、基地局の探索の指示処理（ステップＳ６０４）に戻る。
【００９７】
一方、第１タイムアウト時間を計時中ではない場合に（ステップＳ３００−Ｎｏ）、通信インターフェース選択部２５１は、第２タイムアウト時間を計時中であるか否かを判定する（ステップＳ３１４）。
【００９８】
第２タイムアウト時間を計時中である場合に（ステップＳ３１４−Ｙｅｓ）、通信インターフェース選択部２５１は、第２タイムアウト時間が経過したか否かを判定する（ステップＳ３１６）。
【００９９】
第２タイムアウト時間が経過していない場合に（ステップＳ３１６−Ｎｏ）、通信インターフェース選択部２５１は、第２計時終了条件が成立するか否かを判定する（ステップＳ３１８）。
【０１００】
第２計時終了条件が成立する場合に（ステップＳ３１８−Ｙｅｓ）、通信インターフェース選択部２５１は、計時部２５３に計時を終了させる（ステップＳ３２０）。
【０１０１】
また、通信インターフェース選択部２５１は、ＬＡＮ側通信部２２を起動する（ステップＳ３２２）。そして、通信インターフェース選択部２５１は、基地局の探索の指示処理（ステップＳ６０４）に戻る。
【０１０２】
一方、第２計時終了条件が成立しない場合に（ステップＳ３１８−Ｎｏ）、通信インターフェース選択部２５１は、基地局の探索の指示処理（ステップＳ６０４）に戻る。
【０１０３】
一方、第２タイムアウト時間が経過した場合に（ステップＳ３１６−Ｙｅｓ）、通信インターフェース選択部２５１は、ＷＡＮ側通信部２１の無線ＬＡＮインターフェース部２１１を休止する（ステップＳ３２４）。そして、通信インターフェース選択部２５１は、基地局の探索の指示処理（ステップＳ６０４）に戻る。
【０１０４】
一方、第２タイムアウト時間を計時中ではない場合に（ステップＳ３１４−Ｎｏ）、通信インターフェース選択部２５１は、第１計時開始条件が成立するか否かを判定する（ステップＳ３２６）。
【０１０５】
第１計時開始条件が成立する場合に（ステップＳ３２６−Ｙｅｓ）、通信インターフェース選択部２５１は、第１タイムアウト時間をパラメータとして、計時部２５３に計時を開始させる（ステップＳ３２８）。そして、通信インターフェース選択部２５１は、基地局の探索の指示処理（ステップＳ６０４）に戻る。
【０１０６】
一方、第１計時開始条件が成立しない場合に（ステップＳ３２６−Ｎｏ）、通信インターフェース選択部２５１は、基地局の探索の指示処理（ステップＳ６０４）に戻る。
【０１０７】
一方、一つ以上の通信インターフェース部が基地局と接続した場合に（ステップＳ６０６−Ｙｅｓ）、通信インターフェース選択部２５１は、第１タイムアウト時間を計時中であるか否かを判定する（図３ＢのステップＳ３３０）。
【０１０８】
第１タイムアウト時間を計時中である場合に（ステップＳ３３０−Ｙｅｓ）、通信インターフェース選択部２５１は、計時部２５３に計時を終了させる（ステップＳ３３２）。
【０１０９】
また、通信インターフェース選択部２５１は、第２タイムアウト時間を計時中であるか否かを判定する（ステップＳ３３４）。
【０１１０】
第２タイムアウト時間を計時中である場合に（ステップＳ３３４−Ｙｅｓ）、通信インターフェース選択部２５１は、計時部２５３に計時を終了させる（ステップＳ３３６）。
【０１１１】
また、通信インターフェース選択部２５１は、ＬＡＮ側通信部２２を起動する（ステップＳ３３８）。
【０１１２】
通信インターフェース選択部２５１は、一つ以上の通信インターフェース部のうちから通信インターフェース部を選択する（ステップＳ６０８）。
【０１１３】
通信インターフェース選択部２５１は、中継処理部２５２に、中継処理を開始させる（ステップＳ６１０）。中継処理部２５２は、通信インターフェース選択部２５１により選択された通信インターフェース部と、ＬＡＮ側通信部２２の無線ＬＡＮインターフェース部２２１とを接続し、中継処理を開始する。
【０１１４】
また、通信インターフェース選択部２５１は、第３タイムアウト時間をパラメータとして、計時部２５３に計時を開始させる（ステップＳ６１２）。
【０１１５】
通信インターフェース選択部２５１は、第３タイムアウト時間が経過したか否かを判定する（ステップＳ６１４）。
【０１１６】
第３タイムアウト時間が経過した場合に（ステップＳ６１４−Ｙｅｓ）、通信インターフェース選択部２５１は、基地局の探索の指示処理（ステップＳ６０４）に戻る。
【０１１７】
図４は、ＨＴＴＰ通信制御部２５４の動作フローの一例を示す。
【０１１８】
ＨＴＴＰ通信制御部２５４は、ＨＴＴＰ要求の受信を待機する（ステップＳ４００）。
【０１１９】
携帯端末３からＬＡＮ側通信部２２を介してＨＴＴＰ要求を受信した場合に（ステップＳ４００−Ｙｅｓ）、ＨＴＴＰ通信制御部２５４は、受信したＨＴＴＰ要求がウェブサーバ部２５５宛てのものであるか否かを判定する（ステップＳ４０２）。
【０１２０】
受信したＨＴＴＰ要求がウェブサーバ部２５５宛てのものである場合に（ステップＳ４０２−Ｙｅｓ）、ＨＴＴＰ通信制御部２５４は、受信したＨＴＴＰ要求をウェブサーバ部２５５に送信する（ステップＳ４０４）。
【０１２１】
一方、受信したＨＴＴＰ要求がウェブサーバ９宛てのものである場合に（ステップＳ４０２−Ｎｏ）、ＨＴＴＰ通信制御部２５４は、ＷＡＮ側通信部２１が外部の通信ネットワークと接続中であるか否かを判定する（ステップＳ４０６）。
【０１２２】
ＷＡＮ側通信部２１が外部の通信ネットワークと接続中である場合に（ステップＳ４０６−Ｙｅｓ）、ＨＴＴＰ通信制御部２５４は、受信したＨＴＴＰ要求を対応するウェブサーバ９に送信する（ステップＳ４０８）。
【０１２３】
一方、ＷＡＮ側通信部２１が外部の通信ネットワークと未接続である場合に（ステップＳ４０６−Ｎｏ）、ＨＴＴＰ通信制御部２５４は、その旨を示すウェブページを送信する（ステップＳ４１０）。
【０１２４】
そして、ＨＴＴＰ通信制御部２５４は、処理を終了する。
【０１２５】
以上説明してきたように、いずれの通信ネットワークとも未接続である状態が所定時間継続した場合に携帯端末との接続を切断することにより、ユーザの利便性を向上することが可能となる。
【０１２６】
なお、本発明は、本実施形態に限定されるものではない。例えば、本実施形態では、中継装置２により提供されるサービスが利用中であるか否かを、サービスへのログインの有無で判定したが、他の方法で判定してもよい。例えば、直近の利用から所定時間内は、サービスが利用中であると判定してもよい。
【０１２７】
また、本発明に係る機能の有効／無効、第１計時開始条件、第１計時終了条件、第２計時終了条件、第１タイムアウト時間、第２タイムアウト時間、第３タイムアウト時間等は、ユーザ及び／又はシステムにより変更可能としてもよい。
【０１２８】
また、処理部２５が有する各機能をコンピュータに実現させるためのコンピュータプログラムは、磁気記録媒体、光記録媒体等のコンピュータにより読み取り可能な記録媒体に記録された形で提供されてもよい。
【０１２９】
当業者は、本発明の精神及び範囲から外れることなく、様々な変更、置換及び修正をこれに加えることが可能であることを理解されたい。
【符号の説明】
【０１３０】
１    無線通信システム
２    中継装置
２１    ＷＡＮ側通信部
２１１    無線ＬＡＮインターフェース部
２１２    移動体通信インターフェース部
２２    ＬＡＮ側通信部
２２１    無線ＬＡＮインターフェース部
２３    記憶部
２４    操作部
２５    処理部
２５１    通信インターフェース選択部
２５２    中継処理部
２５３    計時部
２５４    ＨＴＴＰ通信制御部
２５５    ウェブサーバ部
２５６    ウェブアプリケーション部
３    携帯端末
４    基地局（アクセスポイント）
５    バックボーンネットワーク
６    基地局
７    移動体通信網
８    インターネット
９    ウェブサーバ
【要約】
【課題】本発明は、ユーザの利便性を向上することを可能とする中継装置等を提供することを目的とする。
【解決手段】本発明に係る中継装置（２）は、複数の通信インターフェース部を備え、複数の通信ネットワークと通信を行うＷＡＮ側通信部（２１）と、無線ＬＡＮインターフェース部を備え、端末と通信を行うＬＡＮ側通信部（２２）と、複数の通信インターフェース部のうちから選択された通信インターフェース部とＬＡＮ側通信部とを接続し、選択された通信インターフェース部に対応する通信ネットワークと端末との中継処理を行う中継処理部（２５２）と、複数の通信インターフェース部のすべてが対応する通信ネットワークと未接続である場合に、計時を開始し、計時を開始してから第１時間が経過した場合に、端末との接続を切断すると共に、ＬＡＮ側通信部を休止する通信制御部（２５１）とを備える。
【選択図】図２【図１】
0005506970.tif 000002
【図２】
0005506970.tif 000003
【図３Ａ】
0005506970.tif 000004
【図３Ｂ】
0005506970.tif 000005
【図４】
0005506970.tif 000006
【図５】
0005506970.tif 000007
【図６】
0005506970.tif 000008